(57)【要約】      （修正有）【課題】押圧部材を押圧操作する際のガタツキを抑え、良好な操作感触を得る。【解決手段】スライド部材３にスライド方向とは直交する方向へ押圧移動可能な状態で押圧部材２を取り付けるとともにその押圧部材２にはケース１２の内壁面に押し当たる当接部２Ｂを一体に形成し、押圧部材２を押圧操作する際、当接部２Ｂがケース１２の内壁面に押し当たりながら移動するように構成した。これにより、押圧操作する際の押圧部材２のガタツキを抑えることができ良好な操作感触を得ることができる。【選択図】図１５
2011028958.tif 000002
【特許請求の範囲】
【請求項１】
収納部を有するケースと、前記収納部内に設けられスライド操作可能なスライド部材と、前記スライド部材を初期位置へ復帰させるための第１の復帰手段と、前記スライド部材のスライド移動に伴って切り換え可能な第１のスイッチ手段と、前記スライド部材に設けられ前記スライド部材のスライド移動方向とは交差する方向に押圧操作可能な押圧部材と、前記押圧部材を初期位置へ復帰させるための第２の復帰手段と、前記押圧部材の押圧操作に伴って切り換え可能な第２のスイッチ手段とを備えたスライド操作型電気部品であって、前記押圧部材に当接部を設け、前記当接部を前記収納部の内壁部へ押し当てながら前記押圧部材を押圧操作可能にしたことを特徴とするスライド操作型電気部品。
【請求項２】
前記スライド部材に前記押圧部材を収納する押圧部材収納部を設けるとともに前記押圧部材収納部に切欠部を形成し、前記押圧部材の一部を前記切欠部を介して前記押圧部材収納部の外側へ突出させて前記当接部を形成したことを特徴とする請求項１記載のスライド操作型電気部品。
【請求項３】
前記第１の復帰手段はコイルバネからなり、前記当接部はその付勢力で前記収納部の内壁部へ押し当てられることを特徴とする請求項１又は２記載のスライド操作型電気部品。
【請求項４】
前記収納部の内壁部には窪み部が形成されており、前記当接部はその窪み部に押し当たりながら押圧操作方向に移動することを特徴とする請求項１ないし３記載のスライド操作型電気部品。
【請求項５】
前記窪み部の前記押圧操作方向両端部には斜面部が形成されており、前記スライド部材の初期位置への復帰に伴い、前記当接部が前記斜面部に当接して初期位置へ押し戻されることを特徴とする請求項４記載のスライド操作型電気部品。
【請求項６】
前記第２のスイッチ手段はドーム状の可動接点部材を備えて構成されるとともに、前記押圧部材収納部内には撓むことで前記可動接点部材を押圧する撓み部材と、前記押圧部材には押圧操作に伴って前記撓み部材を前記押圧操作方向とは交差する方向へ撓わませるカム部とを備え、前記押圧部材を押圧操作することで前記可動接点部材を反転させるとともに、前記可動接点部材が前記第２の復帰手段を兼用して、前記可動接点の戻る力で前記押圧部材が初期位置へ復帰することを特徴とする請求項１記載のスライド操作型電気部品。
【発明の詳細な説明】
【技術分野】
【０００１】
本発明は、例えば携帯機器等の電源をオン、オフするためのスライド操作型電気部品に関する。
【背景技術】
【０００２】
従来、スライド操作型電気部品として例えば、特許文献1に開示されるプッシュ機構付きのスライドスイッチが知られている。該スライドスイッチは、ケース本体とケースカバーで画成された収容室内にスライド操作可能なスライド部材とこのスライド部材を中立位置へ復帰させるコイルバネを備え、スライド移動させることで第1のスイッチを切り替える構成となっている。また、スライド部材にはそのスライド移動方向とは直行する方向に押圧操作可能な押圧部材とこの押圧部材を初期位置へ復帰させるためのバネ部材を備え、押圧操作することで第２のスイッチを切り替える構成となっている。
【特許文献１】特許３８８２２５１号
【発明の開示】
【発明が解決しようとする課題】
【０００３】
しかしながら、上記押圧部材を押圧操作可能に配置するためにはスライド部材との間に僅かな隙間を設ける必要があるとともに、押圧部材が取り付けられるスライド部材自体が収納部内でガタツキを持っているため、押圧操作においてガタツキを抑えることが困難で、良好な操作感触を得にくいという問題があった。
【０００４】
本発明は、この様な問題点を鑑みて為されたものであり、押圧操作時のガタツキを抑えて良好な操作感触を得ることができるスライド操作型電気部品を提供することを目的とする。
【課題を解決するための手段】
【０００５】
上記目的を達成するために、本発明のスライド操作型電気部品は、収納部を有するケースと、前記収納部内に設けられスライド操作可能なスライド部材と、前記スライド部材を初期位置に復帰させるための第１の復帰手段と、前記スライド部材のスライド移動に伴って切り換え可能な第１のスイッチ手段と、前記スライド部材に設けられ前記スライド部材のスライド移動方向とは交差する方向に押圧操作可能な押圧部材と、前記押圧部材を初期位置へ復帰させるための第２の復帰手段と、前記押圧部材の押圧操作に伴って切り換え可能な第２のスイッチ手段を備えたスライド操作型電気部品であって、前記押圧部材に当接部を設け、前記当接部を前記収納部の内壁部へ押し当てながら前記押圧部材を押圧操作可能にしたことを特徴とする。
【０００６】
また、前記当接部は前記第１の復帰手段の付勢力で前記収納部の内壁に押し当てられることを特徴とする。
【０００７】
また、前記収納部の内壁には窪み部が形成されており、前記当接部はその窪み部に押し当たりながら押圧操作方向に移動することを特徴とする。
【０００８】
また、前記窪み部の前記押圧操作方向両端部には斜面部が形成されており、前記スライド部材の初期位置への復帰に伴い、前記当接部が前記斜面部に当接して初期位置へ押し戻されることを特徴とする。
【０００９】
また、前記第２のスイッチ手段はドーム状の可動接点部材を備えて構成されるとともに、前記押圧部材収納部内には撓むことで前記可動接点部材を押圧する撓み部材と、前記押圧部材には押圧操作に伴って前記撓み部材を前記押圧操作方向とは交差する方向へ撓ませるカム部とを備え、前記押圧部材を押圧操作することで前記可動接点部材を反転させるとともに、前記可動接点部材が前記第２の復帰手段を兼用して、前記可動接点部材の戻る力で、前記押圧部材が初期位置へ復帰することを特徴とする。
【発明の効果】
【００１０】
本発明のスライド操作型電気部品は、押圧部材を押圧操作する際、押圧部材に設けた当接部が収納部の内壁部に押し当たりながら移動する。即ち、固定部材と言えるケースに押圧部材を押し当てながら押圧操作することでガタツキを抑え良好な操作感触を得ることができるという効果を奏する。
【発明を実施するための最良の形態】
【００１１】
以下、本発明の一実施の形態について図面を参照して詳細に説明する。本発明に係るスライド操作型電気部品は、例えば、携帯ゲーム機などの電源のオン・オフを切り替えるためのスライドスイッチに好適に利用される。以下においては、本実施の形態に係るスライド操作型電気部品をスライドスイッチに適用する場合について説明するが、本実施の形態に係るスライド操作型電気部品が適用される対象についてはこれに限定されるものではなく、適宜変更が可能である。
【００１２】
図１は、本発明の一実施の形態に係るスライド操作型電気部品としてのスライドスイッチの分解斜視図である。図２は、本実施の形態に係るスライドスイッチの外観を示す斜視図である。
【００１３】
また、以下においては、説明の便宜上、図２に示す右下方側をスライドスイッチの右方側と呼び、同図に示す左上方側をスライドスイッチの左方側と呼び、後述する押圧部材２の操作部２Ａが左方側末端位置にある状態を初期状態と呼ぶものとする。
【００１４】
図１に示すように、本発明の一実施の形態に係るスライドスイッチは、ケース１２とカバー部材１を備え、ケース１２内には左右方向へ移動可能なスライド部材３と、そのスライド部材３のスライド移動方向とは直交する方向である上下方向へ移動可能な押圧部材２を備えて構成される。また、ケース１２内にはスライド部材３の移動に伴ってオン・オフが切り換えられる第１のスイッチ手段と押圧部材２の移動に伴ってオン・オフが切り換えられる第２のスイッチ手段が設けられている。
【００１５】
ケース１２は、例えば、絶縁性の樹脂材料で形成され、概して扁平な直方体形状を有している。ケース１２には上方側に開口した収納部１２Ａが設けられている。この収納部１２Ａは、図３に示すようにケース１２の内底面にケースの長手方向に沿って立設された隔壁により区画された第１収納部１２Ｂと第２収納部１２Ｃで構成されている。第１収納部１２Ｂには後述する図８に示すコイルバネ７が収納される。第２収納部１２Ｂには、図３の左側の領域に後述する防塵シート４で覆われたドーム型可動接点５が収納され、右側の領域には、押圧部材２と摺動接点部材６を組み付けたスライド部材３が収納される。
【００１６】
ケース１２の底面には、図６、図７に示すように、第１収納部１２Ｂから第２収納部１２Ｃに渡る右側領域に第１のスイッチ手段の一部を構成する一対の固定接点部材８、９が埋設されている。一方の固定接点部材８の一端部はケース１２の外方へ突出して図示しない回路基板との半田付け部８Ａを形成し、他端部は折り曲げられて第１収納部１２Ｂ内へ突出しコイルバネ７と導通接触可能な接触部８Ｂを形成している。他方の固定接点部材９もその一端部はケース１２の外方へ突出して回路基板との半田付け部９Ａを形成し、他端部は第２収納部１２Ｃの右側部まで延びて露出し後述する摺動子片部６Ａと接触可能な接触部９Ｂを形成している。
【００１７】
また、ケース１２の底面における左側領域には第２のスイッチ手段の一部を構成する一対の固定接点部材１０、１１が埋設されている。各固定接点部材１０、１１の一端部は上記第１のスイッチ手段の固定接点部材８、９同様にケース１２の外側へ突出して回路基板との半田付け部１０Ａ、１１Ａを形成し、他端部はそれぞれ第２収納部１２Ｃ内へ露出して接触部１０Ｂ、１１Ｂを形成し一方の固定接点部材１０の接触部１０Ｂを囲むように他方の固定接点部材１１の接触部１１Ｂが配置されている。
【００１８】
コイルバネ７は、図８に示すように、金属線材から構成され、また、図７に示すように、コイルバネ７の一端部は第１収納部１２Ｂ内へ突出する一方の固定接点部材８の接触部８Ｂに当接し、他端部は後述するスライド部材３に組み付けられた摺動接点部材６の一端部６Ｂに当接して圧縮した状態で第１収納部１２Ｂ内に収納される。コイルバネ７はスライド部材３のスライド移動に伴って弾性変形し、その弾性力でスライド部材７を初期位置に自動復帰させる役割を果たす。また、コイルバネ７を介して一方の固定接点部材８と摺動接点部材６が電気的に導通する。
【００１９】
上記ケース１２の第２収納部１２Ｃに露出する固定接点部材１０、１１上には図１に示ようにドーム状の可動接点部材５が配置されている。可動接点部材５は、図１２に示すように金属板材を椀状に成形してなり反転することで固定接点部材１０，１１間を導通させる。また、可動接点部材５上には図１３で示す絶縁性の防塵シート４が貼られ、これによって可動接点部材５がケース１２の底面上に固定されるとともに内部への埃の侵入を防ぐ役割を果たしている。上記固定接点部材１０，１１とこの可動接点部材５で第２のスイッチ手段は構成される。
【００２０】
スライド部材３は、例えば、図１０、１１に示すように、絶縁性の樹脂材料で形成され、第２収納部１２Ｃ内に左右方向へスライド移動可能な状態で配設される（図１５参照）。このスライド部材３には摺動接点収納部３Ａと押圧部材収納部３Ｂが設けられている。摺動接点収納部３Ａには切り欠き部３Ｃが設けられ、そこに後述する摺動接点部材６が圧入されて保持される。また、押圧部材収納部３Ｂには後述する押圧部材２が収納されるようになっている。
【００２１】
摺動接点部材６は、図９で示すように、金属板材を折り曲げて構成され、一方の端部には上述した第２収納部１２Ｃの内底面及び他方の固定接点部材９の接触部９Ｂと摺接する摺動子片部６Ａが形成され、他方の端部にはコイルバネ７と圧接する当接部６Ｂが形成されコイルバネ７を介して固定接点部材８と導通している。スライド部材３のスライド移動に伴い摺動子片部６Ａが他方の固定接点部材９の接触部９Ｂに対して接離することで固定接点部材８、９間が導通、非導通となり第１のスイッチ手段が構成される。
【００２２】
押圧部材２は、例えば、絶縁性の樹脂材料で形成され、上述のスライド部材３の押圧部材収納部３Ｂ内に上下方向へ移動可能な状態で収納される。図４、５で示すように、押圧部材２の上端部は操作部２Ａを形成しており、横方向へ操作することでスライド部材３を左右方向へスライド移動させることができ、押すことで押圧部材２を下方向へ移動させることができる。また、押圧部材２の側面には当接部２Ｂが一体に突出形成されるとともに裏面にはカム部２Ｃが一体に形成されている。
【００２３】
押圧部材収納部３Ｂの底面には図１１に示すように、一部が切り欠かれて撓み変形部３Ｄが形成されている。撓み変形部３Ｄは片持ち状に形成されその先端部にはカム当接部３Ｅが形成されており、上記押圧部材２が下方向へ移動するとカム当接部３Ｅがカム部２Ｃに押されて撓み変形部３Ｄが撓み、可動接点部材５を押圧して反転させるようになっている。
【００２４】
また、押圧部材収納部３Ｂの側壁には切欠部３Ｆが形成されており、図１５に示すように、その切欠部３Ｆを介して上記当接部２Ｂが押圧部材収納部３Ｂの外方へ突出している。
【００２５】
また、その切欠部３Ｆを形成した押圧部材収納部３Ｂの側壁と対向するケース１２の内壁面には凹部１２Ｄが形成されており、上記押圧部材収納部３Ｂの外方へ突出した当接部２Ｂの先端部がその凹部１２Ｄの内壁面に当接している。当接部２Ｂはスライド部材３を初期位置へ付勢するコイルバネ７の付勢力で凹部１２Ｄの内壁面に押し当てられ、押圧部材２を下方向へ移動させると当接部２Ｂは凹部１２Ｄの内壁面に押し当てられた状態のまま下方向へ移動するようになっている。なお、凹部１２Ｄの上下両端部にはテーパ部１２Ｅが形成され当接部２Ｂを凹部１２Ｄ内へ戻す役割を果たすようになっている。
【００２６】
カバー部材１は、図１４に示すように、例えば、金属板材から構成され、ケース１２に被せることでケース１２に組み込まれた部品を保護する役割を果たす。カバー部材１にはかしめ部１Ａがあり、ケース１２に被せた際にかしめ部１Ａを内側方向にかしめることで、ケース１２のフック部１２Ｆに固定される。
【００２７】
次に、本実施形態のスライドスイッチの動作について説明する。
【００２８】
初期状態では、スライド部材３はコイルバネ７の付勢力に押されてケース１２の左端である初期位置（図１５参照）にあり、摺動子片部６Ａは他方の固定接点部材９の接触部９Ｂから離間し第１のスイッチ手段はオフ状態となっている。
【００２９】
押圧部材２の操作部２Ａを右方向へ移動させるとスライド部材３はコイルバネ７を圧縮させつつ右方向へスライド移動し摺動子片部６Ａが他方の固定接点部材９の接触部９Ｂに接触する。これにより、一対の固定接点部材８、９間がコイルバネ７を介して導通状態となり、第１のスイッチ手段がオン状態に切り替わる（図１６参照）。この状態で押圧部材２の操作部２Ａを離すとスライド部材３はコイルバネ７の弾発力で左方向へ押し戻され、初期位置へと戻ると摺動子片部６Ａが他方の固定接点部材９の接触部９Ｂから離れて第１のスイッチ手段はまたオフ状態となる（図１５参照）。
【００３０】
続いて、初期位置において押圧部材２の操作部２Ａを押圧すると押圧部材２は下方向へ押されて移動する。この際、図１７のように、押圧部材２と一体に形成された当接部２Ｂは凹部１２Ｄの内壁面に押し当てられた状態で押圧部材２とともに下方向へ移動する。そして、押圧部材２が下方向へ移動すると押圧部材２のカム部２Ｃが撓み変形部３Ｄの先端にあるカム当接部３Ｅを押圧するので撓み変形部３Ｄが撓んで可動接点部材５が押圧されて反転する。これにより、一対の固定接点部材１０、１１間が導通状態となり第２のスイッチ手段がオン状態となる（図１７参照）。
【００３１】
押した状態にある押圧部材２の操作部２Ａを離すと反転された可動接点部材５が元に戻る。これに伴い、撓み変形部３Ｄは可動接点部材５に押されて元の位置へ戻され、カム部２Ｃが押されて押圧部材２は上方向へ移動する。上方向へ移動した押圧部材２が元の初期状態へ戻ると一対の固定接点部材１０、１１が離間して第２のスイッチ手段はオフ状態となる（図１５参照）。
【００３２】
なお、右方向へ移動したスライド部材３が初期位置へ戻る際、押圧部材２が僅かに押された状態で、或いはスライド部材３が僅かに傾いた状態で戻る場合があるが、その場合、スライド部材３が初期位置へ近づいて来ると当接部２Ｂが凹部１２Ｄのテーパ部１２Ｅに当接して当接部２Ｂは凹部１２Ｄ内へと案内され、スライド部材３が初期位置に戻ると必ず当接部２Ｂは凹部９Ｃの内壁面に押し当てられた状態となる
上述したように、押圧部材２を押圧する際に押圧部材２の当接部２Ｂがケース１２の内壁面に押し当てられた状態のまま移動する様にしたことで、部品間のクリアランスによるガタツキを押さえることができ、押圧操作時の感触を良くできる。
【００３３】
上述した様に、図１５に示すように、当接部２Ｂが収まる凹部１２Ｄの上下両端にテーパ部１２Ｅを設けることで、移動したスライド部材３がコイルバネ７の弾性力で初期位置に戻る際に、押圧部材２が僅かに押された状態或いはスライド部材３が僅かに傾いている状態でも当接部２Ｂを凹部１２Ｄ内に案内することができ、当接部２Ｂを確実に凹部１２Ｄの内壁面に押し当てた状態に戻すことができるとともに、押圧部材２を初期位置へ確実に戻すこと、及び傾いたスライド部材３を元の状態に戻すこともできる。
【００３４】
上述したように、反転したドーム状の可動接点部材５の元に戻る力を利用して押圧部材２を初期位置へ戻すことで、別途、第２の復帰手段としてバネ部材を設ける必要は無く、部品点数の削減を図ることができる。
【００３５】
上述したように、第２のスイッチ手段にドーム状の可動接点部材５を用いることで、押圧した際にクリック感触を得ることができる。
【００３６】
なお、本発明は上記実施形態に限定されるものではなく、例えば次のように変形して実施することができ、これらの実施形態も本発明の技術的範囲に属する。
【００３７】
・  上記実施形態では第１のスイッチ手段は摺動接点部材６を固定接点部材９に対して接離させることで構成したが、可変抵抗器やエンコーダ等を用いて切り換えを行うようなものも含む。
【００３８】
・  上記実施形態では第２のスイッチ手段として金属材を用いたドーム状の可動接点部材５を用いた構成としているが、ゴム材を用いた可動接点部材にしたものでもよい。
【００３９】
・  上記実施形態では凹部１２Ｄの上下両端部にテーパ形状をつけているが、Ｒ形状をつけても実施できる。
【図面の簡単な説明】
【００４０】
【図１】本発明に係るスライド操作型電気部品の分解斜視図
【図２】本発明に係るスライド操作型電気部品の外観斜視図
【図３】該ケースを示す斜視図
【図４】該押圧部材の表面を示す斜視図
【図５】該押圧部材の裏面を示す斜視図
【図６】該固定接点部材を示す斜視図
【図７】該固定接点部材が埋設された状態を示す斜視図
【図８】該コイルバネを示す斜視図
【図９】該摺動接点部材を示す斜視図
【図１０】該摺動接点部材を組み込んだ該スライド部材の裏面を示す斜視図
【図１１】該摺動接点部材を組み込んだ該スライド部材の表面を示す斜視図
【図１２】該ドーム状の可動接点部材を示す側面図
【図１３】該防塵シートを示す斜視図
【図１４】該カバー部材を示す斜視図
【図１５】該スライド部材が初期位置にある状態を示す上面図
【図１６】該スライド部材が第１のスイッチ手段をオンした状態を示す上面図
【図１７】（ａ）該押圧部材が第２のスイッチ手段をオンした状態を示す上面図              （ｂ）図１７（ａ）におけるＡ−Ａの断面図
【符号の説明】
【００４１】
１  カバー部材
１Ａ  かしめ部
２  押圧部材
２Ａ  操作部
２Ｂ  当接部
２Ｃ  カム部
３  スライド部材
３Ａ  摺動子収納部
３Ｂ  押圧部材収納部
３Ｃ  切り欠き部
３Ｄ  撓み変形部（撓み部材）
３Ｅ  カム当接部
３Ｆ  切欠部
４  防塵シート
５  ドーム型可動接点
６  摺動接点部材
６Ａ  摺動子片部
６Ｂ  当接部
７  コイルバネ
８  固定接点部材
８Ａ  半田付け部
８Ｂ  接触部
９  固定接点部材
９Ａ  半田付け部
９Ｂ  接触部
１０  固定接点部材
１０Ａ  半田付け部
１０Ｂ  接触部
１１  固定接点部材
１１Ａ  半田付け部
１１Ｂ  接触部
１２  ケース
１２Ａ  収納部
１２Ｂ  第１収納部
１２Ｃ  第２収納部
１２Ｄ  凹部
１２Ｅ  テーパ部
１２Ｆ  フック部
【図１】
2011028958.tif 000003
【図２】
2011028958.tif 000004
【図３】
2011028958.tif 000005
【図４】
2011028958.tif 000006
【図５】
2011028958.tif 000007
【図６】
2011028958.tif 000008
【図７】
2011028958.tif 000009
【図８】
2011028958.tif 000010
【図９】
2011028958.tif 000011
【図１０】
2011028958.tif 000012
【図１１】
2011028958.tif 000013
【図１２】
2011028958.tif 000014
【図１３】
2011028958.tif 000015
【図１４】
2011028958.tif 000016
【図１５】
2011028958.tif 000017
【図１６】
2011028958.tif 000018
【図１７】
2011028958.tif 000019